【手続補正書】
【提出日】平成24年4月19日(2012.4.19)
【手続補正１】
【補正対象書類名】明細書
【補正対象項目名】０００９
【補正方法】変更
【補正の内容】
【０００９】
本発明の放送番組記録再生装置は、第１外部機器と第１接続手段の接続を検出する第１接続検出手段と、第２外部機器と第２接続手段の接続を検出する第２接続検出手段と、を備え、第１接続検出手段が接続を検出すると第１電源供給手段は第１接続手段へ電源供給を行い、第２接続検出手段が接続を検出すると第２電源供給手段は第２接続手段へ電源供給を行うことを特徴とする。外部機器との接続を検出しない間は当該外部機器に対応するインターフェイスの電源供給を断つことにより、外部機器からの予約録画に対応しながらスタンバイ中の消費電力を抑えることが出来る。
【手続補正２】
【補正対象書類名】明細書
【補正対象項目名】００１１
【補正方法】変更
【補正の内容】
【００１１】
（実施の形態１）
＜全体構成＞
図１は、実施の形態１に係る放送番組記録再生装置１００と外部機器の接続形態を示すブロック図である。放送番組記録再生装置１００は、デジタルテレビ等の放送番組受信表示装置１０１と狭帯域伝送路のＨＤＭＩで接続される。アンテナ１０３で受信された放送波は、放送番組記録再生装置１００と放送番組受信表示装置１０１に入力される。放送番組記録再生装置１００とケーブルテレビ（ＣＡＴＶ）回線１０４からの放送波を受信するセットトップボックス（ＳＴＢ）等の放送番組受信装置１０２とは、広帯域伝送路のＩＥＥＥ１３９４で接続される。放送番組受信表示装置１０１と放送番組受信装置１０２はＨＤＭＩで接続される。
【手続補正３】
【補正対象書類名】明細書
【補正対象項目名】００１２
【補正方法】変更
【補正の内容】
【００１２】
次に、図１に沿って放送番組記録再生装置とこれに接続された外部機器の動作を説明する。放送衛星や地上波電波を経由して伝送されるデジタル放送信号はアンテナ１０３で受信され、放送番組記録再生装置１００及び放送番組受信表示装置１０１に入力される。放送番組記録再生装置１００は、受信中の放送番組や内蔵記録媒体に保存された番組を再生した映像音声情報を、ＨＤＭＩ接続を経由して放送番組受信表示装置１０１に伝送し、液晶パネルやスピーカ等の放送番組受信表示装置１０１に内蔵された表示装置にて番組が表示される。一方、放送番組受信表示装置１０１にもデジタルチューナが内蔵されており、アンテナ１０３で受信した放送波から任意のデジタル放送を受信し、受信中の放送番組を内蔵の表示装置で表示することが可能である。
【手続補正４】
【補正対象書類名】明細書
【補正対象項目名】００１３
【補正方法】変更
【補正の内容】
【００１３】
ＣＡＴＶ回線１０４から契約者世帯に対して送信される専用デジタル放送は、通常、放送番組記録再生装置１００や放送番組受信表示装置１０１で受信することが出来ず、専用のＳＴＢ等の放送番組受信装置１０２を用いて受信する。放送番組受信装置１０２が受信した専用デジタル放送番組のデータは、映像音声信号に復元され、ＨＤＭＩ接続を経由して放送番組受信表示装置１０１に伝送され、放送番組受信表示装置１０１の表示装置で表示される。あるいは、専用デジタル放送番組のデータは、ＩＥＥＥ１３９４接続を経由して放送番組記録再生装置１００に伝送され、放送番組記録再生装置１００内部の記録媒体に記録される。
【手続補正５】
【補正対象書類名】明細書
【補正対象項目名】００１６
【補正方法】変更
【補正の内容】
【００１６】
さらに、放送番組記録再生装置１００は、ＨＤＭＩインターフェイス２０６、ＨＤＭＩ電源供給手段２１２、ＨＤＭＩ接続端子２１４、ＩＥＥＥ１３９４インターフェイス２０７、ＩＥＥＥ１３９４電源供給手段２１３、ＩＥＥＥ１３９４接続端子２１６、ＣＰＵ２０８、ＲＯＭ２０９、ＲＡＭ２１０、ＣＰＵバス２１１を備える。
【手続補正６】
【補正対象書類名】明細書
【補正対象項目名】００１７
【補正方法】変更
【補正の内容】
【００１７】
ＨＤＭＩインターフェイス２０６は、ＨＤＭＩ接続端子２１４にてＨＤＭＩ接続された放送番組受信表示装置１０１とデータの送受信を行うためのインターフェイスであり、ＨＤＭＩ電源供給手段２１２はＨＤＭＩインターフェイス２０６の通電を制御する手段である。同様に、ＩＥＥＥ１３９４インターフェイス２０７は、ＩＥＥＥ１３９４接続端子２１６にてＩＥＥＥ１３９４接続された放送番組受信装置１０２とデータの送受信を行うためのインターフェイスであり、ＩＥＥＥ１３９４電源供給手段２１３は、ＩＥＥＥ１３９４インターフェイス２０７の通電を制御する手段である。ＣＰＵ２０８は、ＲＯＭ２０９に格納されたプログラムに従い、ＲＡＭ２１０をワーク領域として使用しながら、ＣＰＵバス２１１を介して放送番組記録再生装置１００の各ブロックの通電制御を含めた制御を行う。
【手続補正７】
【補正対象書類名】明細書
【補正対象項目名】００１８
【補正方法】変更
【補正の内容】
【００１８】
外部機器の接続を検出する一例として、ＨＤＭＩ接続端子２１４はＨＤＭＩ接続検出手段２１５を備えており、ＩＥＥＥ１３９４接続端子２１６はＩＥＥＥ１３９４接続検出手段２１７を備える。ＨＤＭＩ接続検出手段２１５は、ＨＤＭＩ接続端子２１４に対する接続を機械的に検出することにより外部機器が接続されたことを検出する手段であり、ＩＥＥＥ１３９４接続検出手段２１７は、ＩＥＥＥ１３９４接続端子２１６に対する接続を機械的に検出することにより外部機器が接続されたことを検出する手段である。
【手続補正８】
【補正対象書類名】明細書
【補正対象項目名】００２０
【補正方法】変更
【補正の内容】
【００２０】
現在放送されている番組を視聴する場合、ストリームコントローラ２０３はパーシャルＴＳをＡＶデコーダ２０５に出力し、ＡＶデコーダ２０５においてストリームに含まれた放送番組の映像と音声データがデコードされ、映像音声信号が復元される。映像音声信号はＨＤＭＩインターフェイス２０６に伝送され、さらに狭帯域伝送路であるＨＤＭＩ接続を経由して放送番組受信表示装置１０１に伝送され、放送受信表示装置の液晶パネルやスピーカに出力される。
【手続補正９】
【補正対象書類名】明細書
【補正対象項目名】００２１
【補正方法】変更
【補正の内容】
【００２１】
一方、現在放送されている番組を録画する場合、ストリームコントローラ２０３は、トランスポートストリームデコーダ２０２からのパーシャルＴＳをＡＶデコーダ２０５に送るのではなく、記録媒体２０４に記録する。記録媒体２０４に記録された番組を再生する場合は、ストリームコントローラ２０３が記録媒体２０４に記録された放送番組のパーシャルＴＳを読み出し、ＡＶデコーダ２０５に出力する。これ以降の動作は前述の番組視聴の場合と同様で、ＡＶデコーダ２０５にて映像音声信号が復元され、放送番組受信表示装置１０１へ出力される。
【手続補正１０】
【補正対象書類名】明細書
【補正対象項目名】００２２
【補正方法】変更
【補正の内容】
【００２２】
ケーブルテレビの番組放送の場合は、ケーブルテレビ専用ＳＴＢなどの放送番組受信装置１０２から出力されたパーシャルＴＳが、広帯域伝送路であるＩＥＥＥ１３９４接続を経由してＩＥＥＥ１３９４インターフェイス２０７へ伝送される。ＩＥＥＥ１３９４インターフェイス２０７は、受信したパーシャルＴＳをトランスポートストリームデコーダ２０２へ伝送する。トランスポートストリームデコーダ２０２以降の動作は、デジタルチューナ２０１が受信するデジタル放送番組と同様であり、番組の視聴や記録が行われる。
【手続補正１１】
【補正対象書類名】明細書
【補正対象項目名】００２３
【補正方法】変更
【補正の内容】
【００２３】
視聴・記録する際の放送番組記録再生装置１００の一連の動作は、内蔵されたＣＰＵ２０８により制御される。ＣＰＵ２０８は、ＲＯＭ２０９に格納されたプログラムに従い、ＲＡＭ２１０をワーク領域として使用しながら、ＣＰＵバス２１１を介して各ブロックを制御する。ＣＰＵ２０８は各ブロックの回路の通電制御も行う事ができ、例えば放送番組記録再生装置１００のスタンバイ時など、アンテナ１０３からデジタル放送信号の放送波を受信する必要がない場合は、デジタルチューナ２０１の回路への電源供給を断つことにより、消費電力を抑えることが出来る。
【手続補正１２】
【補正対象書類名】明細書
【補正対象項目名】００２４
【補正方法】変更
【補正の内容】
【００２４】
狭帯域伝送路であるＨＤＭＩ接続と、広帯域伝送路であるＩＥＥＥ１３９４接続は、映像音声信号の伝送だけでなく、接続機器間で制御コマンドを送受信する機能を有している。本実施の形態では、ＨＤＭＩ接続された放送番組記録再生装置１００、放送番組受信表示装置１０１間でＣＥＣコマンドの送受信が可能である。また、ＩＥＥＥ１３９４接続された放送番組記録再生装置１００、放送番組受信装置１０２間でＡＶ／Ｃコマンドの送受信が可能である。
【手続補正１３】
【補正対象書類名】明細書
【補正対象項目名】００２５
【補正方法】変更
【補正の内容】
【００２５】
こうした制御コマンドにより、外部機器から放送番組記録再生装置１００に対して番組の受信や録画の指示がなされる。放送番組受信表示装置１０１を視聴中に、現在視聴中の放送番組を放送番組記録再生装置１００に録画する場合について説明する。放送番組受信表示装置１０１は、ＨＤＭＩ接続を経由して、受信と録画を指示するＣＥＣコマンドを放送番組記録再生装置１００に送信する。ＣＥＣコマンドは、ＨＤＭＩインターフェイス２０６を介してＣＰＵ２０８が受信する。ＣＥＣコマンドを解釈したＣＰＵ２０８は、デジタルチューナ２０１、トランスポートストリームデコーダ２０２、ストリームコントローラ２０３を適切に制御することによって、視聴中の放送番組を記録することが出来る。
【手続補正１４】
【補正対象書類名】明細書
【補正対象項目名】００２６
【補正方法】変更
【補正の内容】
【００２６】
上記の動作を実現するため、放送番組記録再生装置１００にＨＤＭＩ接続を介して放送番組受信表示装置１０１が接続されていることを検出している間、少なくともＨＤＭＩインターフェイス２０６とＣＰＵ２０８とプログラムを格納するＲＯＭ２０９、及びワーク領域としてのＲＡＭ２１０に通電されるように構成される。ＣＰＵ２０８は、ＨＤＭＩ電源供給手段２１２を制御して、ＨＤＭＩインターフェイス２０６の回路へ必要な電源を供給する。
【手続補正１５】
【補正対象書類名】明細書
【補正対象項目名】００２７
【補正方法】変更
【補正の内容】
【００２７】
次に、放送番組受信装置１０２が受信した番組を放送番組記録再生装置１００で録画する場合について説明する。録画予約が設定された放送番組受信装置１０２が、ＣＡＴＶ回線１０４から該当する放送番組を受信したとき、放送番組受信装置１０２はＩＥＥＥ１３９４接続１０７を経由して、受信と録画を指示するＡＶ／Ｃコマンドを放送番組記録再生装置１００に送信する。送信されたＡＶ／Ｃコマンドは、ＩＥＥＥ１３９４インターフェイス２０７を介してＣＰＵ２０８が受信し解釈する。ＣＰＵ２０８は、ストリームコントローラ２０３を適切に制御することによって、録画予約された放送番組を記録することが出来る。
【手続補正１６】
【補正対象書類名】明細書
【補正対象項目名】００２８
【補正方法】変更
【補正の内容】
【００２８】
上記動作を実現するため、放送番組記録再生装置１００にＩＥＥＥ１３９４接続を介して放送番組受信装置１０２が接続されていることを検出している間は、少なくともＩＥＥＥ１３９４インターフェイス２０７、ＣＰＵ２０８、ＲＯＭ２０９、ＲＡＭ２１０に通電されるように構成される。ＣＰＵ２０８は、ＩＥＥＥ１３９４電源供給手段２１３を制御して、ＩＥＥＥ１３９４インターフェイス２０７の回路へ必要な電源を供給する。
【手続補正１７】
【補正対象書類名】明細書
【補正対象項目名】００２９
【補正方法】変更
【補正の内容】
【００２９】
まとめると、放送番組記録再生装置１００は、ＨＤＭＩ接続を介した外部機器接続及びＩＥＥＥ１３９４接続を介した外部機器接続のいずれかが確立されているときに、少なくともＣＰＵ２０８、ＲＯＭ２０９、ＲＡＭ２１０に通電するように構成される。さらに、接続された外部機器から送信される制御コマンドを受信するインターフェイス２０６，２０７にも通電するように構成される。
【手続補正１８】
【補正対象書類名】明細書
【補正対象項目名】００３０
【補正方法】変更
【補正の内容】
【００３０】
このように、放送番組記録再生装置１００が２系統以上の制御コマンドを受信する経路を有する場合に、少なくとも１系統の制御コマンドを受信する可能性があるときには、当該経路のインターフェイス２０６，２０７を通電するとともに、スタンバイ中であっても、ＣＰＵ２０８とプログラムを収納するＲＯＭ２０９、及びワーク領域としてのＲＡＭ２１０は常に通電状態にあるため、外部機器からの制御コマンドに対して短時間で応答する事ができる。
【手続補正１９】
【補正対象書類名】明細書
【補正対象項目名】００３１
【補正方法】変更
【補正の内容】
【００３１】
すなわち、本実施の形態の放送番組記録再生装置１００は、第１伝送路（ＨＤＭＩ接続）を介して第１外部機器（放送番組受信表示装置１０１）と放送番組の映像音声信号及び／又は制御コマンドを送受信する第１接続手段（ＨＤＭＩインターフェイス２０６）と、第２伝送路（ＩＥＥＥ１３９４接続）を介して第２外部機器（放送番組受信装置１０２）と放送番組の映像音声信号及び／又は制御コマンドを送受信する第２接続手段（ＩＥＥＥ１３９４インターフェイス２０７）と、ＨＤＭＩインターフェイス２０６への電源供給を制御する第１電源供給手段（ＨＤＭＩ電源供給手段２１２）と、第２接続手段（ＩＥＥＥ１３９４インターフェイス２０７）への電源供給を制御する第２電源供給手段（ＩＥＥＥ１３９４電源供給手段２１３）と、放送番組受信表示装置１０１とＨＤＭＩインターフェイス２０６の接続を検出する第１接続検出手段（ＨＤＭＩ接続検出手段２１５）と、放送番組受信装置１０２とＩＥＥＥ１３９４インターフェイス２０７の接続を検出する第２接続検出手段（ＩＥＥＥ１３９４接続検出手段２１７）と、を備え、ＨＤＭＩ接続検出手段２１５が接続を検出するとＨＤＭＩ電源供給手段２１２はＨＤＭＩインターフェイス２０６へ電源供給を行い、ＩＥＥＥ１３９４接続検出手段２１７が接続を検出するとＩＥＥＥ１３９４電源供給手段２１３はＩＥＥＥ１３９４インターフェイス２０７へ電源供給を行うことを特徴とする。これにより、スタンバイ時の消費電力を低減しながら、外部機器からの録画予約などの制御コマンドに対応することが出来る。
【手続補正２０】
【補正対象書類名】明細書
【補正対象項目名】００３４
【補正方法】変更
【補正の内容】
【００３４】
なお、放送番組記録再生装置１００がスタンバイモードにあるときは、ＣＰＵ２０８、ＲＯＭ２０９、ＲＡＭ２１０と、接続が検出されているＨＤＭＩインターフェイス２０６又はＩＥＥＥ１３９４インターフェイス２０７以外の回路には、必ずしも通電させる必要はない。特に、消費電力の大きいデジタルチューナ２０１や記録媒体２０４などに電源を供給しない構成とすることにより、放送番組記録再生装置１００のスタンバイ中の消費電力を大きく抑制することが出来る。
【手続補正２１】
【補正対象書類名】明細書
【補正対象項目名】００３５
【補正方法】変更
【補正の内容】
【００３５】
また、放送番組記録再生装置１００のスタンバイモードとして、第１スタンバイモード（通常起動待機モード）と、第１スタンバイモードより高速に起動する第２スタンバイモード（高速起動待機モード）を設けても良い。高速起動待機モードでは、電源オフの状態であっても、ＣＰＵ２０８、ＲＯＭ２０９、ＲＡＭ２１０を通電状態に維持しておく。通常起動待機モードでは、起動時に、プログラムをＲＯＭ２０９からＲＡＭ２１０に展開しＯＳ（Ｏｐｅｒａｔｉｎｇ  Ｓｙｓｔｅｍ）やプログラムのロードを行うため、起動するのに約１分程度の時間を必要とする。しかし、高速起動待機モードではプログラムのロードを完了した状態でスタンバイすることにより、起動時間を大幅に短縮することが出来る。
【手続補正２２】
【補正対象書類名】明細書
【補正対象項目名】００３９
【補正方法】変更
【補正の内容】
【００３９】
すなわち、実施の形態１の放送番組記録再生装置は、第１伝送路（ＨＤＭＩ接続）を介して第１外部機器（放送番組受信表示装置１０１）と放送番組の映像音声信号及び／又は制御コマンドを送受信する第１接続手段（ＨＤＭＩインターフェイス２０６）と、第２伝送路（ＩＥＥＥ１３９４接続）を介して第２外部機器（放送番組受信装置１０２）と放送番組の映像音声信号及び／又は制御コマンドを送受信する第２接続手段（ＩＥＥＥ１３９４インターフェイス２０７）と、第１、第２接続手段への電源供給を制御する電源供給手段と、放送番組受信表示装置１０１とＨＤＭＩインターフェイス２０６の接続を検出する第１接続検出手段（ＨＤＭＩ接続検出手段２１５）と、放送番組受信装置１０２とＩＥＥＥ１３９４インターフェイス２０７の接続を検出する第２接続検出手段（ＩＥＥＥ１３９４接続検出手段２１７）と、を備え、ＨＤＭＩ接続検出手段２１５又はＩＥＥＥ１３９４接続検出手段２１７が接続を検出すると、電源供給手段２１８（図３参照）はＨＤＭＩインターフェイス２０６、ＩＥＥＥ１３９４インターフェイス２０７へそれぞれ電源供給を行うことを特徴とする。このような構成にすることによって、各インターフェイスに通電する仕組みが単純になる。具体的には、ＨＤＭＩ電源供給手段２１２とＩＥＥＥ１３９４電源供給手段２１３を図３に示すように電源供給手段２１８として共通化することが可能であり、外部機器からの制御に短時間で応答しつつ、放送番組記録再生装置１００のコストを安価に抑えることが出来る。
【手続補正２３】
【補正対象書類名】明細書
【補正対象項目名】００４１
【補正方法】変更
【補正の内容】
【００４１】
また、コネクタの接続を機械的に検出するＨＤＭＩ接続検出手段２１５やＩＥＥＥ１３９４接続検出手段２１７によって、放送番組記録再生装置１００と外部機器との接続を検出するものとしたが、ＣＥＣコマンドやＡＶ／Ｃコマンドを使用する方法など他の方法で外部機器の接続を検出しても良い。
【手続補正２４】
【補正対象書類名】明細書
【補正対象項目名】００４２
【補正方法】変更
【補正の内容】
【００４２】
＜効果＞
本実施の形態の放送番組記録再生装置では、すでに述べたように以下の効果を奏する。すなわち、本実施の形態の放送番組記録再生装置は、第１伝送路（ＨＤＭＩ接続）を介して第１外部機器（放送番組受信表示装置１０１）と放送番組の映像音声信号及び／又は制御コマンドを送受信する第１接続手段（ＨＤＭＩインターフェイス２０６）と、第２伝送路（ＩＥＥＥ１３９４接続）を介して第２外部機器（放送番組受信装置１０２）と放送番組の映像音声信号及び／又は制御コマンドを送受信する第２接続手段（ＩＥＥＥ１３９４インターフェイス２０７）と、ＨＤＭＩインターフェイス２０６への電源供給を制御する第１電源供給手段（ＨＤＭＩ電源供給手段２１２）と、第２接続手段（ＩＥＥＥ１３９４インターフェイス２０７）への電源供給を制御する第２電源供給手段（ＩＥＥＥ１３９４電源供給手段２１３）と、放送番組受信表示装置１０１とＨＤＭＩインターフェイス２０６の接続を検出する第１接続検出手段（ＨＤＭＩ接続検出手段２１５）と、放送番組受信装置１０２とＩＥＥＥ１３９４インターフェイス２０７の接続を検出する第２接続検出手段（ＩＥＥＥ１３９４接続検出手段２１７）と、を備え、ＨＤＭＩ接続検出手段２１５が接続を検出するとＨＤＭＩ電源供給手段２１２はＨＤＭＩインターフェイス２０６へ電源供給を行い、ＩＥＥＥ１３９４接続検出手段２１７が接続を検出するとＩＥＥＥ１３９４電源供給手段２１３はＩＥＥＥ１３９４インターフェイス２０７へ電源供給を行うことを特徴とする。これにより、スタンバイ時の消費電力を低減しながら、外部機器からの録画予約などの制御コマンドに対応することが出来る。
【手続補正２５】
【補正対象書類名】明細書
【補正対象項目名】００４３
【補正方法】変更
【補正の内容】
【００４３】
また、放送番組記録再生装置は、第１伝送路（ＨＤＭＩ接続）を介して第１外部機器（放送番組受信表示装置１０１）と放送番組の映像音声信号及び／又は制御コマンドを送受信する第１接続手段（ＨＤＭＩインターフェイス２０６）と、第２伝送路（ＩＥＥＥ１３９４接続）を介して第２外部機器（放送番組受信装置１０２）と放送番組の映像音声信号及び／又は制御コマンドを送受信する第２接続手段（ＩＥＥＥ１３９４インターフェイス２０７）と、第１、第２接続手段への電源供給を制御する電源供給手段と、放送番組受信表示装置１０１とＨＤＭＩインターフェイス２０６の接続を検出する第１接続検出手段（ＨＤＭＩ接続検出手段２１５）と、放送番組受信装置１０２とＩＥＥＥ１３９４インターフェイス２０７の接続を検出する第２接続検出手段（ＩＥＥＥ１３９４接続検出手段２１７）と、を備え、ＨＤＭＩ接続検出手段２１５又はＩＥＥＥ１３９４接続検出手段２１７が接続を検出すると、電源供給手段２１８（図３参照）はＨＤＭＩインターフェイス２０６、ＩＥＥＥ１３９４インターフェイス２０７へそれぞれ電源供給を行うことを特徴とする。このような構成にすることによって、各インターフェイスに通電する仕組みが単純になる。具体的には、ＨＤＭＩ電源供給手段２１２とＩＥＥＥ１３９４電源供給手段２１３を図３に示すように電源供給手段２１８として共通化することが可能であり、外部機器からの制御に短時間で応答しつつ、放送番組記録再生装置１００のコストを安価に抑えることが出来る。
【手続補正２６】
【補正対象書類名】明細書
【補正対象項目名】００４７
【補正方法】変更
【補正の内容】
【００４７】
本発明の活用例として、ＨＤＤ内蔵デジタル放送レコーダなど、複数の伝送路により外部機器と接続される機器に適用できる。
【手続補正２７】
【補正対象書類名】明細書
【補正対象項目名】００４８
【補正方法】変更
【補正の内容】
【００４８】
１００  放送番組記録再生装置、１０１  放送番組受信表示装置、１０２  放送番組受信装置、１０３  アンテナ、１０４  ケーブルテレビ回線、２０１  デジタルチューナ、２０２  トランスポートストリームデコーダ、２０３  ストリームコントローラ、２０４  記録媒体、２０５  ＡＶデコーダ、２０６  ＨＤＭＩインターフェイス、２０７  ＩＥＥＥ１３９４インターフェイス、２０８  ＣＰＵ、２０９  ＲＯＭ、２１０  ＲＡＭ、２１１  ＣＰＵバス、２１２  ＨＤＭＩ電源供給手段、２１３  ＩＥＥＥ１３９４電源供給手段、２１４  ＨＤＭＩ接続端子、２１５  ＨＤＭＩ接続検出手段、２１６  ＩＥＥＥ１３９４接続端子、２１７  ＩＥＥＥ１３９４接続検出手段。